(57)【要約】【課題】システム間ハンドオフ実行時の処理時間を短縮する。【解決手段】移動機の移動経路や移動速度に応じて確率的にプリレジストレーションの実施／未実施を判定する。システム間のサービス境界からの距離に応じてプリレジストレーションを段階的に開始することができ、高速移動時にプリレジストレーションが未完了となる確率を減らすとともに、プリレジストレーション実施先の装置と、システム間ハンドオフ実行先の装置が同一となる確率を上げ、システム間ハンドオフ処理時間を短縮する。【選択図】  図１
2011249965.tif 000002
【特許請求の範囲】
【請求項１】
異なる無線技術を使用して基地局と移動機で通信する第１及び第２無線システム間でハンドオフ可能な無線通信システムであって、
第１無線システムの第１エリアにおいて、
複数の移動機の移動経路情報に基づき求められる、該第１エリアから第２無線システムの第２エリアへの移動確率に基づくプリレジストレーション実施確率に従い、前記移動機がハンドオフ実施前にハンドオフ元の第１無線システムの前記基地局を経由してハンドオフ先の第２無線システムとの間で通信情報の交換を行うプリレジストレーション処理を、該第２エリアをハンドオフ先として実施するか否かの実施判定を行う無線通信システム。
【請求項２】
前記プリレジストレーション確率は、エリアと前記第１及び第２無線システムの境界との距離が大きくなるにつれて小さくなるように、エリア毎に予め設定される暫定確率と、前記移動確率とを乗じて求められる請求項１記載の無線通信システム。
【請求項３】
基地局を介して複数の移動機の移動経路情報を収集し、該移動経路情報に基づき、前記移動機の前記第１エリアから前記第２エリアへの移動確率を求める管理装置
を備えた請求項１に記載の無線通信システム。
【請求項４】
前記管理装置は、
移動経路情報に基づき、前記移動機が第１無線システムの前記第１エリアから第２無線システムの複数の第２エリアのひとつへ移動する移動確率を、該第２エリア毎に求め、第１エリアの予め定められた暫定確率と、求められた移動確率とを乗じて、第１エリアにおける第２エリア毎のプリレジストレーション実施確率を求める請求項３に記載の無線通信システム。
【請求項５】
前記管理装置は、
移動経路情報に基づき、第１無線システムの第１エリアについて、該第１エリアの前に前記移動機がいた第３エリアと該第１エリアとを介して第２無線システムの第２エリアのひとつへ移動する移動確率を、該第２エリア毎に求め、第１エリアの予め定められた暫定確率と、求められた移動確率とを乗じて、第３エリアから第１エリアに移動した前記移動機に対する第２エリア毎のプリレジストレーション実施確率を求める請求項３に記載の無線通信システム。
【請求項６】
第１エリアにおいて、該第１エリアの前に前記移動機がいた第３エリアを特定し、前記プリレジストレーション処理の実施判定を前記移動機の移動経路に応じて行うことを特徴とする請求項５に記載の無線通信システム。
【請求項７】
前記移動機の移動速度を求める速度検出装置
を備え、
前記移動機の移動速度が予め定められた閾値より小さい場合、前記プリレジストレーション処理を行わないことを特徴とする請求項１に記載の無線通信システム。
【請求項８】
前記移動機が、前記プリレジストレーション処理の実施判定を行うことを特徴とする請求項１に記載の無線通信システム。
【請求項９】
前記基地局は、前記プリレジストレーション実施確率を前記移動機に通知する機能を備えた請求項８に記載の無線通信システム。
【請求項１０】
前記基地局が、前記プリレジストレーション処理の実施判定を行うことを特徴とする請求項１に記載の無線通信システム。
【請求項１１】
前記監視装置は、エリア毎にプリレジストレーション実施回数を求め、所定時間内のプリレジストレーション実施回数が予め定められた閾値より大きいエリアについて、前記プリレジストレーション確率を下げる請求項１に記載の無線通信システム。
【請求項１２】
異なる無線技術を使用して基地局と移動機で通信する第１及び第２無線システム間でハンドオフ可能な無線通信システムにおいて、前記第１無線システムの第１エリアに配置される前記基地局であって、
複数の移動機の移動経路情報に基づき求められる、該第１エリアから第２無線システムの第２エリアへの移動確率に基づくプリレジストレーション実施確率に従い、前記移動機がハンドオフ実施前にハンドオフ元の第１無線システムの前記基地局を経由してハンドオフ先の第２無線システムとの間で通信情報の交換を行うプリレジストレーション処理を、該第２エリアをハンドオフ先として実施するか否かの実施判定を行う前記基地局。
【請求項１３】
異なる無線技術を使用して基地局と移動機で通信する第１及び第２無線システム間でハンドオフ可能な無線通信システムにおける前記移動機であって、
前記第１無線システムの第１エリアにおいて、
複数の移動機の移動経路情報に基づき求められる、該第１エリアから第２無線システムの第２エリアへの移動確率に基づくプリレジストレーション実施確率に従い、前記移動機がハンドオフ実施前にハンドオフ元の第１無線システムの前記基地局を経由してハンドオフ先の第２無線システムとの間で通信情報の交換を行うプリレジストレーション処理を、該第２エリアをハンドオフ先として実施するか否かの実施判定を行う前記移動機。
【発明の詳細な説明】
【技術分野】
【０００１】
本発明は、無線通信システム、基地局及び移動機に係り、特に、異なる無線技術を使用するシステム間の移動を効率的に行う無線通信システム、基地局及び移動機に関するものである。
【背景技術】
【０００２】
無線通信システムには、標準規格の異なる複数のシステムが存在している場合がある。例えば３ＧＰＰ２のＨＲＰＤ（Ｈｉｇｈ  Ｒａｔｅ  Ｐａｃｋｅｔ  Ｄａｔａ）システム、３ＧＰＰのＥ−ＵＴＲＡＮ（Ｅｖｏｌｖｅｄ  ＵＭＴＳ  Ｔｅｒｒｅｓｔｒｉａｌ  Ｒａｄｉｏ  Ａｃｃｅｓｓ  Ｎｅｔｗｏｒｋ）システムなどである。これらの異なる無線通信システムで通信を行うことが出来るエリアを跨いて移動機が移動した場合などに、移動機が現在行っているサービスを継続しながら無線通信システムの切替えを行うためのインタワーク技術に対する取り組みも始まっており、例えば、ＨＲＰＤシステムとＥ−ＵＴＲＡＮシステムのインタワークに関する標準規格は非特許文献１あるいは非特許文献２で定められている。
異なる無線通信システム間を移動した場合に無線通信システムを切り替えるシステム間ハンドオフを実施する場合には、移動機とシステム間ハンドオフ先の基地局との間で呼接続を行うためのセットアップが必要となるため、セットアップ中はサービスが中断するという課題がある。非特許文献１あるいは非特許文献２の標準規格によると、このサービス中断時間を短縮するために、システム間ハンドオフ元の無線通信システムを経由して、移動機とシステム間ハンドオフ先の無線通信システムとの間で呼接続のセットアップを事前に行うプリレジストレーション処理が提案されている。移動機がプリレジストレーション処理を実施するかどうかの判断はシステム間ハンドオフ元の無線通信システムの基地局から移動機に対して報知しているプリレジストレーションの実施許可フラグに基づいて行っている。
【先行技術文献】
【非特許文献】
【０００３】
【非特許文献１】Ｔｈｅ ３ｒｄ Ｇｅｎｅｒａｔｉｏｎ Ｐａｒｔｎｅｒｓｈｉｐ Ｐｒｏｊｅｃｔ（３ＧＰＰ） Ｓｐｅｃｉｆｉｃａｔｉｏｎｓ、［ｏｎｌｉｎｅ］、Ｔｈｅ３ｒｄ Ｇｅｎｅｒａｔｉｏｎ Ｐａｒｔｎｅｒｓｈｉｐ Ｐｒｏｊｅｃｔ、［平成２２年２月１６日検索］、インターネット＜ＵＲＬ： ｈｔｔｐ：／／ｗｗｗ．３ｇｐｐ．ｏｒｇ／ｓｐｅｃｉｆｉｃａｔｉｏｎｓ＞
【非特許文献２】Ｔｈｅ ３ｒｄ Ｇｅｎｅｒａｔｉｏｎ Ｐａｒｔｎｅｒｓｈｉｐ Ｐｒｏｊｅｃｔ ２（３ＧＰＰ２） Ｓｐｅｃｉｆｉｃａｔｉｏｎｓ、［ｏｎｌｉｎｅ］、Ｔｈｅ３ｒｄ Ｇｅｎｅｒａｔｉｏｎ Ｐａｒｔｎｅｒｓｈｉｐ Ｐｒｏｊｅｃｔ ２、［平成２２年２月１６日検索］、インターネット＜ＵＲＬ：ｈｔｔｐ：／／ｗｗｗ．３ｇｐｐ２．ｏｒｇ／Ｐｕｂｌｉｃ＿ｈｔｍｌ／ｓｐｅｃｓ／ｉｎｄｅｘ．ｃｆｍ＞
【発明の概要】
【発明が解決しようとする課題】
【０００４】
プリレジストレーションの実施判定をフラグ情報のみで判断する方式であると、電車などの輸送機関で高速移動中の移動機がプリレジストレーションを許可した基地局のエリアに一斉に移動した場合などに、移動機が一斉にプリレジストレーションを行う可能性があり、全ての移動機に対するプリレジストレーション処理が完了するまでの時間が長くなってしまうという状態が発生することになる。この場合、プリレジストレーション処理時間が長くなっている影響で、プリレジストレーション完了前にシステム間の境界まで到達した移動機は、プリレジストレーションが完了しない状態でシステム間ハンドオフを実施しなければならないことになる。この場合、プリレジストレーションが完了していない移動機はシステム間ハンドオフ先のシステムと直接呼接続のためのセットアップを実施する必要があるため、セットアップが完了するまでサービスが中断してしまうという課題がある。
この改善策として移動機が一斉に高速移動しているようなエリアでは、プリレジストレーションを許可するエリアを広くすることが考えられる。移動機がシステム間ハンドオフを実施する境界から離れた場所にいる時からプリレジストレーションを実施することが可能なため、高速移動に伴ってプリレジストレーションが完了しない移動機を減らすことができる。しかし、プリレジストレーションのエリアを広くすることにより、プリレジストレーションは実施したがシステム間ハンドオフを実施しない移動機の数が増えることにもなる。これにより、ハンドオフ先のシステム内に呼接続のセットアップ情報を必要以上に保持する確率が高くなりリソースを無駄に消費することによるリソース不足に陥る可能性がある。また、移動機がシステム間ハンドオフを実施する境界から離れた場所でプリレジストレーションを実施することにより、プリレジストレーション後にハンドオフを実施するまでの間に移動機が移動する経路パターンが多くなり、プリレジストレーション先の装置と、システム間ハンドオフ先の装置が異なる確率が増える。この影響でセットアップした呼接続情報をプリレジストレーション先の装置からシステム間ハンドオフ先の装置に転送する処理が実施された場合には、システム間ハンドオフに要する時間が増えるという課題がある。
プリレジストレーションに失敗した場合、システム間ハンドオフ処理によるサービス断時間はおよそ１０秒程度であり、一方、成功した場合には１秒以内に抑えることができる。サービス断時間は音声通信などのリアルタイムサービスに大きな影響を与えるため、プリレジストレーションの成功率を上げ、ハンドオフ処理時間を短縮する必要性がある。
本発明は、以上の点に鑑み、システム間ハンドオフ実行前に行うプリレジストレーション処理を実行する基地局と、実行先基地局の選択を適切に行い、ハンドオフ処理時間を短縮することを目的とする。
【課題を解決するための手段】
【０００５】
本発明は、異なる無線技術を使用する無線通信システム間でサービスを中断せずにハンドオフ可能なシステムにおいて、移動機の移動経路や移動速度に応じて確率的にプリレジストレーション実施判定を行うことで、システム境界からの距離に応じてプリレジストレーションを開始する。プリレジストレーション実施確率は、移動機の移動経路情報を基に監視装置が決定し、基地局あるいは移動機に通知する。
【０００６】
本発明の第１の解決手段によると、
異なる無線技術を使用して基地局と移動機で通信する第１及び第２無線システム間でハンドオフ可能な無線通信システムであって、
第１無線システムの第１エリアにおいて、
複数の移動機の移動経路情報に基づき求められる、該第１エリアから第２無線システムの第２エリアへの移動確率に基づくプリレジストレーション実施確率に従い、前記移動機がハンドオフ実施前にハンドオフ元の第１無線システムの前記基地局を経由してハンドオフ先の第２無線システムとの間で通信情報の交換を行うプリレジストレーション処理を、該第２エリアをハンドオフ先として実施するか否かの実施判定を行う無線通信システムが提供される。
【０００７】
本発明の第２の解決手段によると、
異なる無線技術を使用して基地局と移動機で通信する第１及び第２無線システム間でハンドオフ可能な無線通信システムにおいて、前記第１無線システムの第１エリアに配置される前記基地局であって、
複数の移動機の移動経路情報に基づき求められる、該第１エリアから第２無線システムの第２エリアへの移動確率に基づくプリレジストレーション実施確率に従い、前記移動機がハンドオフ実施前にハンドオフ元の第１無線システムの前記基地局を経由してハンドオフ先の第２無線システムとの間で通信情報の交換を行うプリレジストレーション処理を、該第２エリアをハンドオフ先として実施するか否かの実施判定を行う前記基地局が提供される。
【０００８】
本発明の第３の解決手段によると、
異なる無線技術を使用して基地局と移動機で通信する第１及び第２無線システム間でハンドオフ可能な無線通信システムにおける前記移動機であって、
前記第１無線システムの第１エリアにおいて、
複数の移動機の移動経路情報に基づき求められる、該第１エリアから第２無線システムの第２エリアへの移動確率に基づくプリレジストレーション実施確率に従い、前記移動機がハンドオフ実施前にハンドオフ元の第１無線システムの前記基地局を経由してハンドオフ先の第２無線システムとの間で通信情報の交換を行うプリレジストレーション処理を、該第２エリアをハンドオフ先として実施するか否かの実施判定を行う前記移動機が提供される。
【発明の効果】
【０００９】
本発明によると、システム間ハンドオフ実行前に行うプリレジストレーション処理を実行する基地局と、実行先基地局の選択を適切に行い、ハンドオフ処理時間を短縮することができる。
【図面の簡単な説明】
【００１０】
【図１】本発明によるプリレジストレーションの実施判定方法を示した説明図である（第一の実施形態）。
【図２】本発明によるプリレジストレーションの実施判定方法を示した説明図である（第二の実施形態）。
【図３】異なる無線システム間での移動機の移動経路の例を表した図である。
【図４】複数の移動機の移動経路情報の例を表した図である。
【図５】監視装置が移動機の移動経路情報からプリレジストレーション確率を決定し、各基地局に対して通知する動作の例を示した図である。
【図６】プリレジストレーション先エリアを１つとした場合のプリレジストレーション確率情報の例を示した図である。
【図７】プリレジストレーション先エリアを複数設定した場合のプリレジストレーション確率情報の例を示した図である。
【図８】移動経路毎のハンドオフ確率の例を示した図である。
【図９】移動経路を含めたプリレジストレーション確率情報の例を示した図である。
【図１０】プリレジストレーションを実施しない場合のシステム構成図。
【図１１】プリレジストレーションを実施する場合のシステム構成図。
【図１２】第一の実施形態における移動機の機能ブロック図。
【図１３】第二の実施形態における基地局の機能ブロック図。
【図１４】各エリアの基地局に対してプリレジストレーション実施確率を決定した場合の、プリレジストレーション実施判定フローチャート。
【図１５】移動経路毎にプリレジストレーション実施確率を決定した場合の、プリレジストレーション実施判定フローチャート。
【図１６】移動機がエリア１０１からエリア１１１への移動してきた場合のプリレジストレーション実施動作の説明図。
【図１７】移動機がエリア１００からエリア１１１への移動してきた場合のプリレジストレーション実施動作の説明図。
【発明を実施するための形態】
【００１１】
（第一の実施形態）
図３は、本実施の形態の動作を説明するための移動機Ａの移動経路の例を示す図である。
符号（以下省略し、単に数字で示す）１００〜１０１はプリレジストレーションを許可しないハンドオフ元の無線通信システムＡの通信エリア、１１０〜１１２はプリレジストレーションを許可する確率を低く設定したハンドオフ元の無線通信システムＡの通信エリア、１２０〜１２１はプリレジストレーションを許可する確率を、１１０〜１１２よりも高く設定したハンドオフ元の無線通信システムＡの通信エリア、２００〜２０２はハンドオフ先の無線通信システムＢの通信エリアである。３はハンドオフ元無線通信システムＡ１とハンドオフ先無線通信システムＢ２のサービス境界、４は移動機Ａの移動経路を示す。４の矢印方向に移動機が移動し、３の境界を越えた時にハンドオフ元の無線通信システムＡ１からハンドオフ先の無線通信システムＢ２へのハンドオフが実施される。
図１０は、本実施の形態の動作を説明するためのシステム構成とプリレジストレーションを実施しない場合の呼処理データ経路を示している。
１０は移動機Ａ、１６は無線システムＡ基地局、１７は無線システムＡ移動管理装置、１８は無線システムＢ基地局、１９は無線システムＢ移動管理装置、４０は監視装置、４１はバックボーンネットワークである。基地局１６、１８は、移動機と無線を使用したデータ通信を行う。移動機管理装置１７、１９は、移動機の呼情報管理、移動管理を行う。また、移動機管理装置１７、１９は、ＩＰネットワーク４１を経由して移動機１０との間でデータ転送を行う機能も具備する。監視装置４０ではサービス運用状況を把握するために各装置から呼処理動作の統計情報を収集する。監視装置４０は、それぞれのシステム独立に備えられて接続されていても良いし、共通に構成されて両方に接続されていても良い。１３は移動機Ａと無線システムＡの呼処理データ経路、１４は移動機Ａと無線システムＢの呼処理データ経路を示しており、システム毎に独立して呼処理データの転送が行われる。
【００１２】
図１１は、本実施の形態の動作を説明するためのシステム構成とプリレジストレーションを実施する場合の呼処理データ経路を示している。システム構成は図１０と同様であり、１３は移動機Ａと無線システムＡの呼処理データ経路、１５は移動機Ａと無線システムＢのプリレジストレーション時の呼処理データ経路を示す。システムＢへのプリレジストレーション実施時には、システムＡを経由して、システムＢに呼処理データの転送が行われる。本実施の形態の説明において、基地局間のデータ転送を行う場合に、移動管理装置を経由する処理に関しては記載を省略する。無線システムＡと無線システムＢの転送は、例えば非特許文献１のＳ１０１インタフェースを使用して実施されることができる。
図１０、図１１において、移動機を除く装置はルータなどのネットワーク装置を経由して接続しても良い。
以下、本発明の一実施形態を図面に基づいて説明するが、本発明はこの実施の形態に限定されない。
【００１３】
図１は本発明の一実施形態の動作説明図であり、第一の実施形態とする。
１は無線システムＡ、２は無線システムＢのシステム、１０は無線システムＡと無線システムＢ両方にアクセス可能な移動機Ａ、２１はエリア１１１に配置されている無線システムＡの基地局、２２はエリア１２０に配置されている無線システムＡの基地局、３０はエリア２００に配置されている無線システムＢの基地局である。
図１２に、第一の実施形態における移動機の機能ブロック図を示す。
３００はアンテナ、３０１は受信側高周波回路、３０２は復調器、３０３はデータ処理部、３０４はハンドオフ判定部、３０５はプリレジストレーション実施判定部、３０６はプリレジストレーション実施確率テーブル、３０７は変調器、３０８は送信側高周波回路である。移動機１０は、アンテナ３００から無線信号を受信し、受信側高周波回路３０１で、受信信号を増幅、周波数変換等を行って所定の感度にした後、Ａ／Ｄ変換器によりデジタル信号へ変換する。復調器３０２は、受信信号の復調処理を行う。復調した受信データはデータ処理部３０３で処理される。一方、送信データはデータ処理部３０３から、変調器３０７へ送られ変調処理を行う。その後送信側高周波回路３０８で増幅、周波数変換等の処理を行い、アンテナ３００へ信号を供給する。
ハンドオフ判定部３０４は、複数の無線基地局から送信されているパイロット信号のＳＮＲ（Ｓｉｇｎａｌ−Ｎｏｉｓｅ  Ｒａｔｉｏ）を測定し、電波状態の良い無線基地局へハンドオフする処理を行う。また、接続を行った基地局の履歴情報を保持する機能を具備する。プリレジストレーション実施判定部３０５は、ハンドオフ先の無線基地局から受信したプリレジストレーション許可通知と、プリレジストレーション確率通知に含まれる情報を使用してプリレジストレーション実施判定を行う。プリレジストレーション確率通知で受信した確率情報はプリレジストレーション実施確率テーブル３０６で保持する。
【００１４】
図１の形態におけるプリレジストレーション実施動作を説明する。
移動機Ａ１０はエリア１１１へ移動する動作５０を行うと、エリア１１１の無線システムＡの基地局２１からプリレジストレーション許可通知７０とプリレジストレーション確率通知７１を受け取る。移動機Ａは７０、７１で受け取った情報を使用してプリレジストレーション実施判定６０を行う。例えば、プリレジストレーション実施判定結果が実施しないとなった場合には、この時点でプリレジストレーションは実施しない。なお、プリレジストレーション実施判定の詳細は後述する。次に移動機Ａがエリア１２０に移動する動作５１を行うと、エリア１２０の無線システムＡの基地局２２からプリレジストレーション許可通知７２とプリレジストレーション確率通知７３を受け取る。移動機Ａは７２、７３で受け取った情報を使用してプリレジストレーション実施判定６１を行う。例えば、プリレジストレーション実施判定結果が実施するとなった場合には、この時点でエリア２００の無線システムＢの基地局３０に対してプリレジストレーション実施７４する。なお、移動機Ａは、受け取ったプリレジストレーション確率を、エリアの識別子毎にプリレジストレーション実施確率テーブル３０６に適宜記憶する。
【００１５】
図１のプリレジストレーション実施判定６０、６１は、例えば監視装置が移動機の経路情報を収集し、その情報を基にプリレジストレーション確率を計算して基地局へ通知した確率情報を使用して行う。図３の移動経路４を移動した移動機Ａは、１１１のエリアに到達した時点で、１１１のエリアで予め設定されているプリレジストレーション確率に応じてプリレジストレーションを実施するかどうかを判定する。実施判定は、例えば乱数値を計算することにより行う。５０％の確率が設定されている場合には、０〜１の値を取る乱数値を計算し、０．５と比較した結果、大きければプリレジストレーション実施し、小さければプリレジストレーション実施しないと判定する。
プリレジストレーション先の無線通信システムＢ２の通信エリアは、２００、２０１、２０２の内、移動経路から類推されるハンドオフ先と同じエリアに対して行われるようにする。プリレジストレーション先のエリアと、実際のハンドオフ先のエリアが異なる場合には、プリレジストレーション実施によりプリレジストレーション先エリアの基地局にセットアップした呼接続情報を、ハンドオフ先のエリアの基地局に転送する処理を必要とする可能性があり、ハンドオフ処理時間を長くする要因となるためである。
【００１６】
図４は、監視装置が移動機の経路情報を収集し、その情報を基に移動経路毎にプリレジストレーション確率を計算して基地局へ通知する動作の一例を示している。
基地局は、移動機のハンドオフ処理を行う場合に、移動機が接続してきた基地局の履歴情報を移動経路情報としてハンドオフ元の基地局からハンドオフ先の基地局に通知する。ハンドオフ先の基地局は自身の情報も含めて監視装置に移動経路情報を通知する。監視装置は移動経路情報から、移動機がどの経路を移動した場合に、どの基地局にハンドオフしていく確率が高いかを予測し、プリレジストレーション確率を決定する。
移動機がエリア１０１の無線システムＡ基地局２０からエリア１１１の無線システムＡ基地局２１へハンドオフする動作８０を行うと、エリア１０１の無線システムＡ基地局２０はエリア１１１の無線システムＡ基地局２１に対して経路情報通知する動作９０を行う。経路情報を受け取ったエリア１１１の無線システムＡ基地局２１は経路情報を監視装置４０に対して経路情報通知する動作９１を行う。
同様に、移動機がエリア１１１の無線システムＡ基地局２１からエリア１２０の無線システムＡ基地局２２へハンドオフする動作８１を行うと、エリア１１１の無線システムＡ基地局２１はエリア１２０の無線システムＡ基地局２２に対して経路情報通知する動作９２を行う。経路情報を受け取ったエリア１２０の無線システムＡ基地局２２は経路情報を監視装置４０に対して経路情報通知する動作９３を行う。
移動機がエリア１２０の無線システムＡ基地局２２からエリア２００の無線システムＢ基地局３０へハンドオフする動作８２を行うと、エリア１２０の無線システムＡ基地局２２はエリア２００の無線システムＢ基地局３０に対して経路情報通知する動作９４を行う。経路情報を受け取ったエリア２００の無線システムＢ基地局３０は経路情報を監視装置４０に対して経路情報通知する動作９５を行う。
監視装置４０は各基地局から受け取った移動経路情報を基に、移動経路毎のプリレジストレーション確率決定動作６４を行う。
【００１７】
図５に移動経路情報の例を示す。移動機が経路ポイントＡ、経路ポイントＢ、経路ポイントＣ、経路ポイントＤの順に移動していることを表している。各移動機の移動経路は次のようになる。移動機Ａ、Ｂ、Ｃ、Ｄ、Ｅはエリア１０１、エリア１１１、エリア１２０、エリア２００の経路で移動している。移動機Ｆ、Ｇはエリア１００、エリア１１１、エリア１２０、エリア２００の経路で移動している。移動機Ｈ、Ｉはエリア１００、エリア１１１、エリア１２１、エリア２０１の経路で移動している。移動機Ｊはエリア１００、エリア１１１、エリア１２１、エリア２０２の経路で移動している。これらの移動機毎の移動経路上の経路ポイントは、上述の経路情報通知内にある基地局の識別情報を監視装置４０に記憶していくことで作成できる。
移動経路情報からプリレジストレーション確率を決定する方法の例を示す。プリレジストレーション確率は各エリアの基地局に対して決定しても良いし、移動経路毎に決定してもよい。
最初に、各エリアの基地局に対してプリレジストレーション確率を決定する場合の例として、エリア１１１の基地局に対して決定する例を示す。
図５の移動経路情報によると、経路ポイントＢでエリア１１１を経由した移動機が経路ポイントＤでエリア２００にハンドオフする確率は移動機Ａ〜Ｊの１０台の内、Ａ〜Ｇの７台であり７０％の確率でエリア２００にハンドオフしていることになる。また、経路ポイントＢでエリア１１１を経由した移動機が経路ポイントＤでエリア２０１にハンドオフする確率は移動機Ａ〜Ｊの１０台の内、Ｈ〜Ｉの２台であり２０％の確率でエリア２０１にハンドオフしていることになる。経路ポイントＢでエリア１１１を経由した移動機が経路ポイントＤでエリア２０２にハンドオフする確率は移動機Ａ〜Ｊの１０台の内、Ｇの１台であり１０％の確率でエリア２００にハンドオフしていることになる。
【００１８】
ここで、図３のエリア配置を見るとエリア１１１の位置は、無線通信システムＡと無線通信システムＢのサービス境界３から離れており、エリア１１１でプリレジストレーションを実施する目的は、移動機が一斉に高速移動を行うエリアにおいて、移動機がシステム間のサービス境界３に到達する前に確実に全移動機に対してプリレジストレーション処理を完了させるために、一定数の移動機に対してサービス境界から離れたエリア内でプリレジストレーション処理を完了させておくことである。そのため、最初にエリア境界からの距離に応じて段階的にプリレジストレーションを実施可能とするための暫定プリレジストレーション確率を設定する。例えば、このエリアで全移動機数に対して５０％の移動機に対してプリレジストレーションを完了させておきたい場合には暫定プリレジストレーション確率を５０％として設定する。暫定プリレジストレーション確率は無線通信システムＡと無線通信システムＢのサービス境界３と、プリレジストレーション確率を設定するエリアとの距離や、高速移動が発生するエリアかどうかなどを基に予め決定することができる。これらの確率情報からプリレジストレーション確率を以下のように求める。
【００１９】
そのエリアでのプリレジストレーション実施のトータル確率は暫定プリレジストレーション確率であるため、暫定プリレジストレーション確率に移動経路毎の移動確率を掛け合わせることにより、移動経路毎のプリレジストレーション確率を算出する。なお、プリレジストレーション先のエリアを１つとしたい場合には、もっともハンドオフの確率が高いエリア２００の基地局に対してプリレジストレーションを行い、暫定プリレジストレーション確率５０％をそのままプリレジストレーション確率としてもよい。図６に本ケースにおけるエリア１１１のプリレジストレーション確率情報の例を示す。
プリレジストレーション先のエリアを複数設定する場合には、それぞれのプリレジストレーション先のエリアにハンドオフした確率に暫定プリレジストレーション確率を掛け合わせてプリレジストレーション確率を決定する。例えば、エリア２００へのプリレジストレーション確率はエリア２００へのハンドオフ確率７０％に暫定プリレジストレーション確率５０％を掛け合わせて３５％とする。エリア２０１へのプリレジストレーション確率はエリア２０１へのハンドオフ確率２０％に暫定プリレジストレーション確率５０％を掛け合わせて１０％とする。エリア２０２へのプリレジストレーション確率はエリア２０２へのハンドオフ確率１０％に暫定プリレジストレーション確率５０％を掛け合わせて５％とする。図７に本ケースにおけるエリア１１１のプリレジストレーション確率情報の例を示す。
【００２０】
次に、移動経路毎にプリレジストレーション確率を決定する場合の例を示す。
例として、エリア１１１の基地局に対するプリレジストレーション確率を考える。図５の移動経路情報によると、エリア１０１、エリア１１１、エリア１２０を経由してエリア２００にハンドオフする移動機数は、移動機Ａ〜Ｊの１０台の内Ａ〜Ｅの５台であり、５０％の確率でこの経路でハンドオフしていることになる。また、エリア１００、エリア１１１、エリア１２０を経由してエリア２００にハンドオフする移動機数は、移動機Ａ〜Ｊの１０台の内Ｆ、Ｇの２台であり、２０％の確率でこの経路でハンドオフしていることになる。エリア１００、エリア１１１、エリア１２１を経由してエリア２０１にハンドオフする移動機数は、移動機Ａ〜Ｊの１０台の内Ｈ、Ｉの２台であり、２０％の確率でこの経路でハンドオフしていることになる。エリア１００、エリア１１１、エリア１２１を経由してエリア２０２にハンドオフする移動機数は、移動機Ａ〜Ｊの１０台の内Ｊの１台であり、１０％の確率でこの経路でハンドオフしていることになる。図８に本ケースにおける移動経路毎のハンドオフ確率を示す。
【００２１】
これらの移動経路毎のハンドオフ確率に暫定プリレジストレーション確率を掛け合わせてプリレジストレーション確率を決定する。暫定プリレジストレーション確率は経路ポイント毎に設定し、例えば経路ポイントＡは０％、経路ポイントＢは５０％、経路ポイントＣは１００％とする。これらの確率情報から、エリア１１１の基地局に対するプリレジストレーション確率を以下のように求める。
エリア１１１は経路ポイントＢとしており暫定プリレジストレーション確率は５０％とする。エリア１１１の基地局から判定可能なのは経路ポイントＡからの移動経路のみのため、経路ポイントＡのどのエリアから移動してきた場合にどこのエリアに対してプリレジストレーションを行うかの確率を決定する。エリア１０１から移動してきた移動機に対してエリア２００へプリレジストレーションする確率は、経路ポイントＡでエリア１０１を経由しエリア２００へハンドオフした確率５０％に暫定プリレジストレーション確率５０％を掛け合わせた２５％とする。エリア１００から移動してきた移動機に対してエリア２００へプリレジストレーションする確率は、経路ポイントＡでエリア１００を経由しエリア２００へハンドオフした確率２０％に暫定プリレジストレーション確率５０％を掛け合わせた１０％とする。エリア１００から移動してきた移動機に対してエリア２０１へプリレジストレーションする確率は、経路ポイントＡでエリア１００を経由しエリア２０１へハンドオフした確率２０％に暫定プリレジストレーション確率５０％を掛け合わせた１０％とする。エリア１００から移動してきた移動機に対してエリア２０２へプリレジストレーションする確率は、経路ポイントＡでエリア１００を経由しエリア２０２へハンドオフした確率１０％に暫定プリレジストレーション確率５０％を掛け合わせた５％とする。図９に本ケースにおけるエリア１１１のプリレジストレーション確率情報の例を示す。
【００２２】
図４において、監視装置４は、プリレジストレーション確率決定６４後に、各無線システムＡ基地局２０、２１、２２に対してプリレジストレーション確率情報を通知する動作９６、９７、９８を行う。この確率情報を図１のプリレジストレーション確率通知７１、７３で移動機Ａ１０に対して通知する。
次に、プリレジストレーション実施判定処理について説明する。
図１４に、各エリアの基地局に対してプリレジストレーション実施確率を決定した場合の、プリレジストレーション実施判定フローを示す。
図１４のフロー動作を順に説明する。移動機Ａ１０のプリレジストレーション実施判定部３０５は（以下同じ）、プリレジストレーション実施判定処理を開始する（５００）。プリレジストレーション許可されたエリアかを判定する（５０１）。許可エリアかどうかは基地局に設定され、移動機はプリレジストレーション許可通知で受信した情報を基に判断する。５００の判定の結果、許可されていない場合には処理を終了する（５１１）。一方、プリレジストレーション許可されている場合、０〜１の乱数値を算出する（５０２）。例えば、プリレジストレーション実施確率テーブル３０６を参照し、プリレジストレーション先候補のエリア数をＡに設定する（５０３）。例えば、図６の例ではＡ＝１であり、図７の例ではＡ＝３である。判定のループ回数をｉ（ｉは整数）とし初期値０を設定する（５０４）。ｉに対応したプリレジストレーション先エリア識別情報Ｂ（ｉ）を選択する（５０５）。例えば、プリレジストレーション実施確率テーブル３０６の上からｉ＝０、１、２としてもよい。Ｂ（ｉ）へのプリレジストレーション実施判定値を算出しＣに設定する（５０６）。例えば、プリレジストレーション実施確率テーブル３０６の該当するプリレジストレーション確率を読み出して、読み出した値に基づきＣに設定する。５０２で算出した乱数値が５０６で算出した判定値Ｃ以下であるかを比較する（５０７）。５０７の判定結果が正しい場合（乱数値がＣ以下）には、Ｂ（ｉ）のエリアへのプリレジストレーションを実施し（５０８）、処理を終了する（５１１）。それ以外の場合には、ループ回数ｉに１を加える（５０９）。ｉがエリア数Ａ以上となった場合には処理を終了する（５１１）。それ以外の場合には、５０５に戻り次のエリアを選択して処理を継続する。
図１４のフローにおけるプリレジストレーション実施判定動作例を、図６、図７に示すプリレジストレーション確率情報を用いて説明する。
【００２３】
図６のプリレジストレーション確率情報を用いた場合、プリレジストレーション先エリアはエリア２００の１つであるためステップ（５０３）のＡは１となる。エリア２００に対するプリレジストレーション確率は５０％であるためステップ（５０６）の判定値Ｃを０．５に設定する。ステップ（５０７）で乱数値が０．５以下であればエリア２００の基地局に対してプリレジストレーション実施し、それ以外であればプリレジストレーション実施しないと判定する。
図７のプリレジストレーション確率情報を用いた場合、プリレジストレーション先エリアはエリア２００、２０１、２０２の３つであるためステップ（５０３）のＡは３となる。ステップ（５０５）で最初に判定するエリア２００を選択する。エリア２００に対するプリレジストレーション確率は３５％であるためステップ（５０６）の判定値Ｃを０．３５に設定する。ステップ（５０７）で乱数値が０．３５以下であればエリア２００の基地局に対してプリレジストレーション実施し、それ以外であればステップ（５０９）でｉを１に更新し、ステップ（５０５）で次のエリア２０１の基地局を選択する。エリア２０１に対するプリレジストレーション確率は１０％であるためステップ（５０６）で判定値Ｃに０．１を足し合わせて判定値を０．４５に設定する。これにより、０．３５〜０．４５の１０％分が判定の対象となる。ステップ（５０７）で乱数値が０．４５以下であればエリア２０１の基地局に対してプリレジストレーション実施し、それ以外であればステップ（５０９）でｉを２に更新し、ステップ（５０５）で次のエリア２０２の基地局を選択する。エリア２０２に対するプリレジストレーション確率は５％であるためステップ（５０６）で判定値Ｃに０．０５を足し合わせて判定値を０．５に設定する。ステップ（５０７）で乱数値が０．５以下であればエリア２０２の基地局に対してプリレジストレーション実施し、それ以外であればステップ（５０９）でｉを３に更新する。ｉが３となった場合にはＡと値が等しくなり、ステップ（５１０）の条件を満足するため、この時点でプリレジストレーション処理を終了し、プリレジストレーション処理を実施しない。
【００２４】
図１５に、移動経路毎にプリレジストレーション実施確率を決定した場合の、プリレジストレーション実施判定フローを示す。
図１４との違いは、移動経路と一致するプリレジストレーション実施確率情報を選択する（５１２）処理のみである。移動機は自身が接続してきた基地局の履歴情報を保持しており、基地局からプリレジストレーション確率通知で通知された経路毎のプリレジストレーション確率情報の中から、自身の移動経路と等しいプリレジストレーション確率情報を選択する。
ステップ（５１２）の動作を図９に示すプリレジストレーション確率情報を用いて説明する。
最初に移動機がエリア１０１からエリア１１１への移動してきた場合に、エリア１１１でのプリレジストレーション確率情報選択動作を説明する。図９の確率情報では経路ポイントＡで１０１を経路してエリア１１１へ到達した場合のプリレジストレーション先エリアはエリア２００のみであり、プリレジストレーション確率は２５％となっている。よってステップ（５１２）では、この確率情報を選択し、以降図１４のフローと同じ処理を行う。
【００２５】
図１６に、移動機がエリア１０１からエリア１１１への移動してきた場合のプリレジストレーション実施動作を図示する。移動機がエリア１０１からエリア１１１への移動動作４を行う。移動機がエリア１０１からエリア１１１へ移動した場合のプリレジストレーション先候補経路６はエリア２００のみである。プリレジストレーション判定結果、プリレジストレーション実施と判定された場合には、エリア２００に対してプリレジストレーション実施動作５を行う。
次に移動機がエリア１００からエリア１１１への移動してきた場合に、エリア１１１でのプリレジストレーション確率情報選択動作を説明する。図９の確率情報では経路ポイントＡで１００を経路してエリア１１１へ到達した場合のプリレジストレーション先エリアはエリア２００、２０１、２０２の３つであり、プリレジストレーション確率はそれぞれ１０％、１０％、５％となっている。よってステップ（５１２）では、これらの確率情報を選択し、以降図１４のフローと同じ処理を行う。
図１７に、移動機がエリア１００からエリア１１１への移動してきた場合のプリレジストレーション実施動作を図示する。移動機がエリア１００からエリア１１１への移動動作４を行う。移動機がエリア１００からエリア１１１へ移動した場合のプリレジストレーション先候補経路６はエリア２００，２０１，２０２の３つである。プリレジストレーション判定結果、例えばエリア２００に対してプリレジストレーション実施と判定された場合には、エリア２００に対してプリレジストレーション実施動作５を行う。
【００２６】
（第二の実施形態）
図２は本発明の一実施形態の動作説明図であり、第二の実施形態とする。図１の第一の実施形態で移動機が行っていたプリレジストレーション実施判定を、基地局が実施する形態である。プリレジストレーション確率通知を移動機に対して行わないことにより、無線で転送するトラフィック量を低減することが可能である。無線システムの構成は、第１の実施の形態の図３と同様である。
図１３に、第二の実施形態における基地局の機能ブロックを示す。
４００はアンテナ、４０１は受信側高周波回路、４０２は復調器、４０３は回線インタフェース、４０４はハンドオフ処理部、４０５はプリレジストレーション実施判定部、４０６はプリレジストレーション実施確率テーブル、４０７は変調器、４０８は送信側高周波回路である。基地局は、アンテナ４００から無線信号を受信し、受信側高周波回路４０１で、受信信号を増幅、周波数変換等を行って所定の感度にした後、Ａ／Ｄ変換器によりデジタル信号へ変換する。復調器４０２は、受信信号の復調処理を行う。復調した受信データは、基地局内で処理されるか、回線インタフェース４０３を経由して、移動管理装置１７、１９などに転送される。一方、送信データは回線インタフェース４０３から、変調器４０７へ送られ変調処理される。その後送信側高周波回路４０８で増幅、周波数変換等の処理を行い、アンテナ４００へ信号を供給する。ハンドオフ処理部４０４では、移動機が接続を行ってきた基地局の履歴情報を移動経路情報として回線インタフェース４０３経由でハンドオフ元基地局からハンドオフ先基地局に転送する。ハンドオフ先基地局では回線インタフェース４０３経由で受信した移動経路情報をプリレジストレーション実施判定に使用する。プリレジストレーション実施確率テーブル４０６では、監視装置４０から回線インタフェース４０３経由で受け取ったプリレジストレーション実施確率情報を保持する。プリレジストレーション実施判定部４０５では、プリレジストレーション実施確率テーブル４０６の値と、ハンドオフ処理部４０４が保持している移動経路情報を使用して、移動機に対してプリレジストレーションを実施するかどうかの判定を行う。また、基地局は、移動機に対してプリレジストレーション許可通知、プリレジストレーション拒否通知を行う機能を具備する。
【００２７】
図２の形態における本実施の形態の動作を説明する。移動機Ａ１０はエリア１１１へ移動する動作５０を行うと、エリア１１１の無線システムＡの基地局２１からプリレジストレーション許可通知７０を受け取る。移動機Ａ１０はエリア１１１の無線システムＡの基地局２１を経由したプリレジストレーションの開始要求７５を送信する。エリア１１１の無線システムＡの基地局２１は、移動機Ａのプリレジストレーション開始要求７５を受けたことを契機に、図１の第一の実施形態で移動機Ａ１０が行っていたプリレジストレーション実施判定６０、６１と同様のプリレジストレーション実施判定６２を行う。プリレジストレーション実施判定結果が実施しないとなった場合には、プリレジストレーション拒否７６を移動機Ａ１０に対して通知する。プリレジストレーション拒否７６を受け取った移動機Ａ１０はエリア１１１内でのプリレジストレーションの実施は行わない。
移動機Ａがエリア１２０に移動する動作５１を行うと、エリア１２０の無線システムＡの基地局２２からプリレジストレーション許可通知７２を受け取る。移動機Ａ１０はエリア１１１の無線システムＡの基地局２２を経由したプリレジストレーションの開始要求７７を送信する。エリア１１１の無線システムＡの基地局２１は、移動機Ａのプリレジストレーション開始要求７７を受けたことを契機に、プリレジストレーション実施判定６３を行う。プリレジストレーション実施判定結果が実施するとなった場合には、この時点でエリア２００の無線システムＢの基地局３０に対してプリレジストレーションを実施７４する。
【００２８】
（変形例）
図１の第一の実施形態、図２の第二の実施形態の動作説明では、全移動機に対して確率情報に基づいたプリレジストレーション実施判定を行ったが、サービス境界から離れたエリア内でプリレジストレーション処理を開始する目的は、移動機がシステム間のサービス境界に到達する前に確実に全移動機に対してプリレジストレーション処理を完了させることである。そのため、停止している移動機や低速移動中の移動機に対しては、サービス境界から離れたエリア内でプリレジストレーション処理を実施しなくてもよい。よって、移動機の移動速度に応じてプリレジストレーションの実施判定を行うことも有効である。例えば、ＧＰＳ情報やジャイロセンサーを用いることにより移動機が停止状態あるいは低速移動状態であることを判断し、サービス境界から離れている場合にはプリレジストレーション処理を行わないようにしてもよい。例えば、移動速度が予め定められた速度の閾値より小さい場合、プリレジストレーション処理を行わないようにしてもよい。また、暫定プリレジストレーション確率を下げるなど、プリレジストレーション処理をしにくくしてもよい。なお、移動機の移動、速度を検出する適宜の速度検出部、速度検出装置を備えてもよい。これにより、サービス境界に近いエリアでプリレジストレーションを完了させる移動機を増やし、プリレジストレーション先エリアとハンドオフ先エリアが異なる場合に発生するプリレジストレーション先エリアの基地局にセットアップした呼接続情報をハンドオフ先のエリアの基地局に転送する処理の発生回数を減らすことも可能である。
また、暫定プリレジストレーション確率は、各エリアの基地局の瞬時的なプリレジストレーション実施回数を基に、プリレジストレーション実施が集中しないように決定しても良い。例えば、プリレジストレーション実施回数は監視装置が各基地局からプリレジストレーション実施の通知を受け取ることにより計算可能であり、あるエリアの瞬時的なプリレジストレーション実施回数が高い場合には、そのエリアの暫定プリレジストレーション確率を低く設定し、そのエリアでプリレジストレーションが実施される回数を減らす。その代わりに瞬時的な実施回数の少ないエリアの暫定プリレジストレーション確率を高く設定することにより、プリレジストレーション実施回数の少ないエリアでプリレジストレーションが実施されるように負荷を分散する。これにより、瞬時的なプリレジストレーション実施の集中により、移動機がプリレジストレーションが完了しない状態でシステム間ハンドオフを実施しなければならなくなる確率を減らす。
【００２９】
本実施の形態の無線通信システムは、移動機の移動経路や移動速度に応じて確率的にプリレジストレーションの実施を判定することで、システム間のサービス境界からの距離に応じて段階的にプリレジストレーションを開始することができ、高速移動時にプリレジストレーションが未完了となる確率を減らすことができる。また、本実施の形態の無線通信システムは、プリレジストレーション実施先の装置と、システム間ハンドオフ実行先の装置が同一となる確率を上げることにより装置間のデータ転送量を減らし、システム間ハンドオフ処理時間を短縮することができる。
【産業上の利用可能性】
【００３０】
本発明は、例えば、規格の異なる複数のシステムが存在する無線通信システムに利用可能である。
【符号の説明】
【００３１】
１    システム間ハンドオフ元の無線通信システムＡ
２    システム間ハンドオフ先の無線通信システムＢ
３    無線通信システムＡと無線通信システムＢのサービス境界
４    移動機の移動経路
５    プリレジストレーション実施する経路
６    プリレジストレーション候補となった経路
１０    移動機Ａ
１３    移動機Ａと無線システムＡの呼処理データ経路
１４    移動機Ａと無線システムＢの呼処理データ経路
１５    移動機Ａと無線システムＢのプリレジストレーション時の呼処理データ経路
１６    無線システムＡ基地局
１７    無線システムＡ移動機管理装置
１８    無線システムＢ基地局
１９    無線システムＢ移動機管理装置
２０    エリア１０１に配置された無線システムＡ基地局
２１    エリア１１１に配置された無線システムＡ基地局
２２    エリア１２０に配置された無線システムＡ基地局
３０    エリア２００に配置された無線システムＢ基地局
３１    エリア２０１に配置された無線システムＢ基地局
４０    監視装置
４１    バックボーンＩＰネットワーク
５０    移動機Ａがエリア１１１へ移動する動作
５１    移動機Ａがエリア１２０へ移動する動作
６０    移動機がプリレジストレーション実施判定を行い、結果実施しないと判定する動作
６１    移動機がプリレジストレーション実施判定を行い、結果実施すると判定する動作
６２    エリア１１１の無線システムＡ基地局がプリレジストレーション実施判定を行い、結果実施しないと判定する動作
６３    エリア１２０の無線システムＡ基地局がプリレジストレーション実施判定を行い、結果実施すると判定する動作
６４    プリレジストレーション確率を決定する動作
７０    エリア１１１の無線システムＡ基地局から移動機に対してプリレジストレーション許可の通知を行う動作
７１    エリア１１１の無線システムＡ基地局から移動機に対してプリレジストレーション確率の通知を行う動作
７２    エリア１２０の無線システムＡ基地局から移動機に対してプリレジストレーション許可の通知を行う動作
７３    エリア１２０の無線システムＡ基地局から移動機に対してプリレジストレーション確率の通知を行う動作
７４    移動機Ａがエリア１２０の無線システムＡ基地局を経由してエリア２００の無線システムＢ基地局に対してプリレジストレーションを実施する動作
７５    移動機Ａがエリア１１１の無線システムＡ基地局を経由したプリレジストレーションを実施する動作
７６    エリア１１１の無線システムＡ基地局から移動機に対してプリレジストレーション拒否の通知を行う動作
７７    移動機Ａがエリア１２０の無線システムＡ基地局を経由したプリレジストレーションを実施する動作
８０    移動機がエリア１０１の基地局からエリア１１１の基地局にハンドオフする動作
８１    移動機がエリア１１１の基地局からエリア１２０の基地局にハンドオフする動作
８２    移動機がエリア１２０の基地局からエリア２００の基地局にハンドオフする動作
９０    エリア１０１の基地局からエリア１１１の基地局に移動経路情報通知を行う動作
９１    エリア１１１の基地局から監視装置に移動経路情報通知を行う動作
９２    エリア１１１の基地局からエリア１２０の基地局に移動経路情報通知を行う動作
９３    エリア１２０の基地局から監視装置に移動経路情報通知を行う動作
９４    エリア１２０の基地局からエリア２００の基地局に移動経路情報通知を行う動作
９５    エリア２００の基地局から監視装置に移動経路情報通知を行う動作
９６    監視装置からエリア１０１の基地局に対してプリレジストレーション確率を通知する動作
９７    監視装置からエリア１１１の基地局に対してプリレジストレーション確率を通知する動作
９８    監視装置からエリア１２０の基地局に対してプリレジストレーション確率を通知する動作
１００〜１０１    プリレジストレーションを許可しない無線システムＡの通信エリア
１１０〜１１２    プリレジストレーションを許可する確率を低く設定した無線通信システムＡの通信エリア
１２０〜１２１    プリレジストレーションを許可する確率を高く設定した無線通信システムＡの通信エリア
２００〜２０２    無線通信システムＢの通信エリア
３００    アンテナ
３０１    受信側高周波回路
３０２    復調器
３０３    データ処理部
３０４    ハンドオフ判定部
３０５    プリレジストレーション実施判定部
３０６    プリレジストレーション実施確率テーブル
３０７    変調器
３０８    送信側高周波回路
４００    アンテナ
４０１    受信側高周波回路
４０２    復調器
４０３    回線インタフェース
４０４    ハンドオフ処理部
４０５    プリレジストレーション実施判定部
４０６    プリレジストレーション実施確率テーブル
４０７    変調器
４０８    送信側高周波回路
５００〜５１２    プリレジストレーション実施判定フローのステップ
【図１】
2011249965.tif 000003
【図２】
2011249965.tif 000004
【図３】
2011249965.tif 000005
【図４】
2011249965.tif 000006
【図５】
2011249965.tif 000007
【図６】
2011249965.tif 000008
【図７】
2011249965.tif 000009
【図８】
2011249965.tif 000010
【図９】
2011249965.tif 000011
【図１０】
2011249965.tif 000012
【図１１】
2011249965.tif 000013
【図１２】
2011249965.tif 000014
【図１３】
2011249965.tif 000015
【図１４】
2011249965.tif 000016
【図１５】
2011249965.tif 000017
【図１６】
2011249965.tif 000018
【図１７】
2011249965.tif 000019